(57)【特許請求の範囲】
【請求項１】
混合ビデオ映像信号を発生する混合ビデオ映像信号発生装置であって、
アナログまたはディジタル放送信号を選択する第１選択手段と、
ディジタルパディングビデオ信号を発生する第１信号発生手段と、
前記第１選択手段によって選択された前記アナログ放送信号からアナログビデオ信号を発生する第２信号発生手段と、
前記第１選択手段によって選択された前記ディジタル放送信号から再構成ディジタルビデオ信号を発生する第３信号発生手段と、
前記アナログ放送信号または前記ディジタル放送信号が選択される場合、前記ディジタルパディング信号または前記再構成ディジタルビデオ信号をディジタル映像信号として発生する第４信号発生手段と、
スクリーン上に表示されるべき１つまたはそれ以上のオン・スクリーン・ディスプレイ（ｏｎ−ｓｃｒｅｅｎ  ｄｉｓｐｌａｙ；ＯＳＤ）を表す実際のＯＳＤ信号を有する、組合せＯＳＤ信号を備えるディジタルＯＳＤ信号を求める第５信号発生手段と、
前記ディジタル映像信号の一部を前記実際のＯＳＤ信号に代替して、前記混合ディジタル映像信号を発生する第６信号発生手段と、
前記混合ディジタル映像信号を混合アナログ映像信号に変換する変換手段と、
前記ディジタル放送信号または前記アナログ放送信号が選択される場合、前記混合ディジタル映像信号における各画素が前記実際のＯＳＤ信号に属するか否かを判断して、前記各画素が前記実際のＯＳＤ信号に属する場合は第１制御信号を発生し、そうでない場合は第２制御信号を発生する判断手段と、
前記第１及び第２制御信号の各々に応じて、前記混合アナログ映像信号及び前記アナログ映像信号を画素単位に選択して、前記混合ビデオ映像信号を発生する第２選択手段とを含み、
前記第６信号発生手段が、前記混合ディジタル映像信号における各画素が前記組合せＯＳＤ信号に属するかを表す第１指示信号を発生する第１指示信号発生手段を備え、
前記判断手段が、
前記ディジタルＯＳＤ信号における各画素が前記実際のＯＳＤ信号に属するかを表す第２指示信号を発生する第２指示信号発生手段と、
前記アナログ放送信号が選択される場合は、前記第１及び第２指示信号に応じて前記第１及び第２制御信号を発生し、前記ディジタル放送信号が選択される場合には、前記第１及び第２指示信号に関わらず前記第１制御信号を発生する制御信号発生手段とを備え、
前記制御信号発生手段が、前記アナログ放送信号が選択され、画素が前記１つまたはそれ以上のＯＳＤの外側に位置する場合のみ、前記第２制御信号を発生する手段を備えることを特徴とする混合ビデオ映像信号発生装置。
【請求項２】
前記組合せＯＳＤ信号における各画素が、Ｎビットの２値によって表現されることを特徴とする請求項１に記載の混合ビデオ映像信号発生装置。
【請求項３】
前記組合せＯＳＤ信号が、前記スクリーン上に表示されない余剰のＯＳＤ信号を更に有し、前記余剰のＯＳＤ信号に対応する各画素がＮビットの第１の２値によって表現されることを特徴とする請求項２に記載の混合ビデオ映像信号発生装置。
【請求項４】
前記実際のＯＳＤ信号に対応する各画素が、１つまたは複数の第２の２値を有することを特徴とする請求項３に記載の混合ビデオ映像信号発生装置。
【請求項５】
前記第１及び第２の２値が、各々「１」及び「０」であることを特徴とする請求項４に記載の混合ビデオ映像信号発生装置。
【請求項６】
前記混合ビデオ映像信号発生装置が地上放送信号、ケーブル放送信号及び衛星放送信号を受け取るセットップボックス（ｓｅｔｔｏｐ  ｂｏｘ）であることを特徴とする請求項５に記載の混合ビデオ映像信号発生装置。
【発明の詳細な説明】
【０００１】
【発明の属する技術分野】
本発明は、オン・スクリーン・ディスプレイ（ｏｎ−ｓｃｒｅｅｎ  ｄｉｓｐｌａｙ；ＯＳＤ）装置に関し、特に、地上放送信号、ケーブル放送信号及び衛星放送信号を処理し得る信号処理部において複数のＯＳＤを提供するオン・スクリーン・ディスプレイ装置に関する。
【０００２】
【従来の技術】
従来のテレビジョン受信機には、ビデオ信号によって表示される画像内或いは該当画像と共に画像再生装置のスクリーン上にＯＳＤ（ｏｎ−ｓｃｒｅｅｎ  ｄｉｓｐｌａｙ：ＯＳＤ）データをディスプレイするためにＯＳＤ形態のグラフィック・ユーザ・インターフェース（ｇｒａｐｈｉｃ  ｕｓｅｒ  ｉｎｔｅｒｆａｃｅ；ＧＵＩ）が組み込まれている。このＯＳＤデータは文字数字シンボル、画像グラフィック、或いはこれらの全ての形態を取り、例えば、チャネル番号、チャネル情報、テレテキスト及び動作命令になり得る。しかし、従来のテレビジョン受信機は、垂直ブランキングインタバル内に挿入可能な制限量のＯＳＤデータを搬送する地上放送信号及びケーブル放送信号のようなアナログ信号のみを処理することによって、例えば、限定されたカラー解像度を有する簡単なＯＳＤを提供することができる。
【０００３】
最近、通信衛星及びディジタル放送信号を用いる新たな放送システムに、全世界的に関心が集まっている。衛星放送システムは、放送信号をより広い地域に提供し得るもので、ディジタル放送信号の搬送のため、例えば、１１．７ＧＨｚ〜１２．２ＧＨｚ範囲の超短波無線周波数（ＲＦ）信号を用いる。衛星放送信号受信機にはその超短波ＲＦ信号を受信するため、通常、超短波ＲＦ信号を、例えば、９５０〜２０５０ＭＨｚのＲＦ信号に変換する低雑音ブロックダウン変換器（ＬＮＢＣ）を組み込んでいる。衛星放送信号受信機に取り付けられているチューナは、搬送ＲＦ信号を受け取るためユーザによって選択されたチャネルに同調される。
【０００４】
衛星放送信号のチャネル帯域幅は超短波搬送周波数のため、地上放送信号及びケーブル放送信号のチャネル帯域幅より広く、衛星放送信号にて搬送されるべきＯＳＤデータの量を一層増加させることができ、より向上されたＯＳＤ性能を有する衛星放送システムになる。
【０００５】
単一の装置にて地上放送信号、ケーブル放送信号及び衛星放送信号のような放送信号を全て処理するために、所謂、セットップボックス（ＳＴＢ：Ｓｅｔｔｏｐ  Ｂｏｘ）と称されるコンポジット受信機が開発されている。図１は、従来のＳＴＢで用いられる信号処理部５０の詳細なブロック図であって、チューナ１００、アナログ信号処理部１０、ディジタル信号処理部２０、スイッチ１１７、マイクロプロセッサ１０５、ＲＡＭ１０６及びキーマトリックス１０７から構成される。アナログ信号処理部１０はアナログ放送信号復調器１０１、第１検出器１０３、コンポジットビデオ信号処理回路１０８、ＯＳＤ発生器１０９及びミキシング回路１１０から構成され、ディジタル信号処理部２０はディジタル放送信号復調器１０２、第２検出器１０４、ＯＳＤバッファ１１１、ＯＳＤ発生器１１２、ＭＰＥＧ部１１５（ビデオデコーダ１１３及びミキシング回路１１４よりなる）、ＮＴＳＣ／ＰＡＬエンコーダ１１６から構成される。
【０００６】
キーマトリックス１０７は、ユーザの打込みに応じて該当機能を行うようする入力信号を、ラインＬ１８を通じてマイクロプロセッサ１０５に供給する。このキーマトリックス１０７は、地上放送信号及びケーブル放送信号に対応するアナログモード、または衛星放送信号に対応するディジタルモードのうちのいずれか１つを選択するために、モード選択信号を発生するモードキーと、所望の放送チャネルを選択するためにチャネル選択信号を発生するチャネルアップ／ダウンキー及び数字キーと、選択チャネルによって搬送されるＯＳＤデータをスクリーン（図示せず）上に表示されるよう要求するためにＯＳＤ要求信号を発生するＯＳＤキーとを備える。典型的に、キーマトリックス１０７の代わりに遠隔制御器（図示せず）が用いられてもよい。
【０００７】
マイクロプロセッサ１０５はキーマトリックス１０７からのモード選択信号及びチャネル選択信号に応じて、チューナ１００に同調されるモード及びチャネルを表す同調制御信号をラインＬ１６を介してチューナ１００に供給し、またスイッチ１１７が端子０或いは１上のビデオ信号を選択するようする制御信号ＣＳ１をスイッチ１１７に供給する。
【０００８】
このチューナ１００はマイクロプロセッサ１０５から供給される同調制御信号に応じて、地上放送信号、ケーブル放送信号或いは衛星放送信号のうちのいずれか１つに該当するチャネルに調整し、該当チャネルがいずれの放送信号に対応するかによって、同調チャネル信号をアナログ放送信号復調器１０１またはディジタル放送信号復調器１０２に出力する。
【０００９】
ユーザがキーマトリックス１０７を通じて地上波チャネル或いはケーブルチャネルを選択する場合、選択チャネルはチューナ１００によって同調され、スイッチ１１７はマイクロプロセッサ１０５から入力される制御信号ＣＳ１に応じて端子０に接続される。同調チャネル信号はアナログ放送信号復調器１０１に入力される。このアナログ放送信号復調器１０１は同調チャネル信号を復調して、基底帯域のコンポジットビデオ信号をラインＬ１１を通じて第１検出器１０３及びコンポジットビデオ信号処理回路１０８に各々伝送する。
【００１０】
コンポジットビデオ信号は同期信号、アナログビデオ信号、及び垂直ブランキングインタバル内に挿入され搬送されるＯＳＤデータよりなる。次に、コンポジットビデオ信号処理回路１０８はレベル増幅、雑音除去、利得制御などを通じて、受け取ったコンポジットビデオ信号を処理することによって、スクリーン（図示せず）上に表示されるべきビデオ映像信号（例えば、図３（Ａ）中のビデオ映像３０３）を発生する。第１検出器１０３は、基底帯域のコンポジットビデオ信号内に含まれたＯＳＤデータを取出して、ラインＬ１９を通じてＯＳＤ発生器１０９に供給する。
【００１１】
視聴者がＳＴＢを制御するために、或いは、選択チャネルによって搬送される情報（例えば、テレテキスト、チャネル情報など）を見るために、ＯＳＤをスクリーン上に発生するように要求する場合、マイクロプロセッサ１０５からラインＬ１２を通じて供給されるＯＳＤ発生信号はＯＳＤ発生器１０９に入力される。このＯＳＤ発生信号は、ラインＬ１８を通じてキーマトリックス１０７から入力されるＯＳＤ要求信号或いはチャネル選択信号に応じて発生される。ＯＳＤ発生器１０９はＯＳＤ発生信号に応じて、第１検出器１０３から入力されるＯＳＤデータ信号に対応する、例えば、図３（Ｂ）中のＯＳＤ  ３０１を発生する。このＯＳＤデータ信号は、スクリーン３０２上に表示されるＯＳＤデータと、スクリーン３０２におけるＯＳＤデータの位置情報とを含み、ＯＳＤ発生信号がチャネル選択信号によって発生される場合に、ＯＳＤデータ信号はマイクロプロセッサ１０５からラインＬ１３上に発生される新たに選択されたチャネル番号であり得る。続いて、ＯＳＤ発生器１０９は、ＯＳＤ  ３０１を表すＯＳＤ信号をミキシング回路１１０に伝送する。このＯＳＤ信号は、ＯＳＤ  ３０１に対応するビデオ信号及びスクリーン３０２におけるＯＳＤ  ３０１の位置情報を含む。
【００１２】
ミキシング回路１１０はビデオ映像信号に含まれている同期信号に基づいて、コンポジットビデオ信号処理回路１０８から供給されるビデオ映像信号とＯＳＤ発生器１０９から供給されるＯＳＤ信号とを混合して、コンポジットビデオ映像信号（例えば、図３（Ｃ）中のコンポジットビデオ映像３０４）を発生する。ここで、コンポジットビデオ映像３０４は、ＯＳＤ  ３０１及び重なっていないビデオ映像３０３の一部分よりなる。コンポジットビデオ映像信号は信号処理部５０のビデオ出力信号として、スイッチ１１７の端子０を通じて表示装置（図示せず）に伝送され、その上に表示される。
【００１３】
視聴者が衛星チャネルを選択する場合、選択された衛星チャネルはチューナ１００によって同調され、スイッチ１１７はマイクロプロセッサ１０５から出力される制御信号ＣＳ１に応じて端子１に接続される。ディジタル放送信号復調器１０２は、選択された衛星チャネル信号を復調して、ビデオデコーダ１１３に入力される衛星ビデオ信号を発生する。この衛星ビデオ信号は、例えば、ＭＰＥＧ（Ｍｏｖｉｎｇ  Ｐｉｃｔｕｒｅ  Ｅｘｐｅｒｔ  Ｇｒｏｕｐ）−２に基づいて圧縮される符号化ディジタル信号であり、符号化ディジタルビデオ信号及びディジタルＯＳＤデータを有する。ビデオデコーダ１１３は、受け取った符号化ディジタルビデオ信号を再構成（復号化）して、再構成ディジタルビデオ信号（例えば、図４（Ａ）中の再構成ビデオ映像４０５）をミキシング回路１１４に供給する。一方、第２検出器１０４は衛星ビデオ信号からディジタルＯＳＤデータを取出して、ラインＬ１５を通じてマイクロプロセッサ１０５に伝送する。然る後、マイクロプロセッサ１０５は、第２検出器１０４から受け取ったＯＳＤデータをラインＬ１７を通じてＲＡＭ１０６に格納する。
【００１４】
視聴者がＳＴＢを制御するために、或いは、選択衛星チャネルを通じて搬送される情報（例えば、テレテキスト、チャネル情報など）を見るために、キーマトリックス１０７を通じてＯＳＤ要求信号を発生してスクリーン上にＯＳＤを発生するように要求する場合、マイクロプロセッサ１０５はラインＬ１７を通じてＲＡＭ１０６に格納されたＯＳＤデータ信号を取出して、ラインＬ１３を通じてＯＳＤ発生器１０２に供給する。また、アナログ信号処理部１０において、視聴者がチャネル番号またはボリュームレベルを変更する場合、マイクロプロセッサ１０５によって発生されるチャネル番号またはボリュームレベルがＯＳＤデータ信号となり得る。このＯＳＤデータ信号は、スクリーン上に表示されるべきＯＳＤデータ及びその位置情報よりなる。ＯＳＤ発生器１１２はＯＳＤデータ信号に応じて、例えば、図４（Ｂ）に示すように、１つまたはそれ以上の実際のＯＳＤ４０２、４０３及び余剰のＯＳＤ  ４０４よりなる組合せＯＳＤ  ４０１を生成する。該当組合せＯＳＤ  ４０１を表す生成されたＯＳＤ信号とスクリーン内におけるその位置情報とは、ＯＳＤバッファ１１１に一時的に格納された後、ミキシング回路１１４に伝送される。ここで、当技術分野において周知のように、ＯＳＤ信号に含まれた各画素はルミナンスデータＹ及びクロミナンスデータＣr、Ｃbによって表現される。例えば、ＯＳＤ信号の各画素は６ビットのＹと、４ビットのＣrと、４ビットのＣbとよりなる。
【００１５】
組合せＯＳＤ  ４０１内に含まれたＯＳＤのうち、実際のＯＳＤ４０２、４０３のみがスクリーン上に表示されるべきＯＳＤデータを搬送し、余剰のＯＳＤ  ４０４はスクリーン上に表示されないダミーデータを有する。組合せＯＳＤは長方形で構成され、これはスクリーン上に同時に表示される全ての実際のＯＳＤと、実際ＯＳＤと重複しない組合せＯＳＤの残り部分に対応する余剰のＯＳＤとを含む。そのようなＯＳＤ構造は、例えば、ＯＳＤバッファ１１１にＯＳＤデータを格納するか、またはＯＳＤバッファ１１１からＯＳＤデータを読み出す時に有用である。特に、図４（Ｂ）に示したように、スクリーン上に同時に表示される複数の実際のＯＳＤが存在し、これらのＯＳＤが水平に重複、即ち、これらＯＳＤが１つまたは複数の水平走査線を共有する場合に利点がある。
【００１６】
続いて、ミキシング回路１１４は、ビデオデコーダ１１３から供給される再構成ビデオ信号とＯＳＤバッファ１１１から供給されるＯＳＤ信号とを混合して、ディジタルビデオ映像信号を発生する。例えば、図４（Ｃ）に示すように、ディジタルビデオ映像信号は、再構成ビデオ信号と重なる一部分が実際のＯＳＤ４０２、４０３に代替された映像と、実際のＯＳＤ４０２、４０３と重ならない再構成ビデオ信号の残余部分とより構成される。
【００１７】
ＮＴＳＣ／ＰＡＬエンコーダ１１６は内部発振器（図示せず）から供給される２７ＭＨｚの同期信号ＳＹＮＣに基づいて、受け取ったディジタルビデオ映像信号を標準ＮＴＳＣ／ＰＡＬアナログ信号に変換して、スイッチ１１７の端子１を通じてビデオ出力信号として出力されるようする。
【００１８】
上記のように、アナログＯＳＤ及びディジタルＯＳＤが、従来のＳＴＢ内の各信号処理部にて処理されることによって、アナログＯＳＤの画質が低下され、さらにＳＴＢの信号処理部内にＯＳＤ発生器やミキシング回路が組み込まれるべきであるので、装置の構造や費用面で不都合がある。
【００１９】
【発明が解決しようとする課題】
従って、本発明の主な目的は、セットップボックス（ＳＴＢ）に用いられ、ＳＴＢ内のディジタル信号処理部にて処理されるＯＳＤ（Ｏｎ−Ｓｃｒｅｅｎ  Ｄｉｓｐｌａｙｓ）をアナログ放送信号と共にスクリーン上に表示して、向上されたＯＳＤを提供し得る混合ビデオ映像信号発生装置を提供することにある。
【００２０】
【課題を解決するための手段】
上記の目的を達成するために、本発明によれば、混合ビデオ映像信号を発生する混合ビデオ映像信号発生装置であって、アナログまたはディジタル放送信号を選択する第１選択手段と、ディジタルパディングビデオ信号を発生する第１信号発生手段と、前記第１選択手段によって選択された前記アナログ放送信号からアナログビデオ信号を発生する第２信号発生手段と、前記第１選択手段によって選択された前記ディジタル放送信号から再構成ディジタルビデオ信号を発生する第３信号発生手段と、前記アナログ放送信号または前記ディジタル放送信号が選択される場合、前記ディジタルパディング信号または前記再構成ディジタルビデオ信号をディジタル映像信号として発生する第４信号発生手段と、スクリーン上に表示されるべき１つまたはそれ以上のオン・スクリーン・ディスプレイ（ｏｎ−ｓｃｒｅｅｎ  ｄｉｓｐｌａｙ；ＯＳＤ）を表す実際のＯＳＤ信号を有する、組合せＯＳＤ信号を備えるディジタルＯＳＤ信号を求める第５信号発生手段と、前記ディジタル映像信号の一部を前記実際のＯＳＤ信号に代替して、前記混合ディジタル映像信号を発生する第６信号発生手段と、前記混合ディジタル映像信号を混合アナログ映像信号に変換する変換手段と、前記ディジタル放送信号または前記アナログ放送信号が選択される場合、前記混合ディジタル映像信号における各画素が前記実際のＯＳＤ信号に属するか否かを判断して、前記各画素が前記実際のＯＳＤ信号に属する場合は第１制御信号を発生し、そうでない場合は第２制御信号を発生する判断手段と、前記第１及び第２制御信号の各々に応じて、前記混合アナログ映像信号及び前記アナログ映像信号を画素単位に選択して、前記混合ビデオ映像信号を発生する第２選択手段とを含むことを特徴とする混合ビデオ映像信号発生装置が提供される。
【００２１】
【発明の実施の形態】
以下、本発明の好適実施例について図面を参照しながらより詳しく説明する。
【００２２】
図２には、本発明によって、セットップボックス（ＳＴＢ）に用いられる信号処理部２５０の詳細なブロック図が示されている。説明の便宜上、図１及び図２中で同一の構成要素には同一の参照番号を付け、図１中のチューナ１００、アナログ放送信号復調器１０１、ディジタル放送信号復調器１０２、第２検出器１０４、キーマトリックス１０７は前述したような機能を行うので、図２中には省略されている。
【００２３】
信号処理部２５０は、図１中のチューナ１００、アナログ放送信号復調器１０１、第２検出器１０４、キーマトリックス１０７と、コンポジットビデオ信号処理回路１０８、同期信号分離器２０１、スイッチ１１７、ディジタル信号処理部３０、Ａ／Ｄ変換器２３０、マイクロプロセッサ１０５とから構成される。
【００２４】
ディジタル信号処理部３０は、図１中のＯＳＤバッファ１１１、ＯＳＤ発生器１１２、ビデオデコーダ１１３、ミキシング回路１１４、ＮＴＳＣ／ＰＡＬエンコーダ１１６と、スイッチ２０２、２０３、第１及び第２ＡＮＤゲート２０４、２０６、インバータ２０５、ＯＲゲート２０７とから構成される。第１及び第２ＡＮＤゲート２０４、２０６、インバータ２０５及びＯＲゲート２０７は、後述するトランスパレンシインジケータ（ｔｒａｎｓｐａｒｅｎｃｙ  ｉｎｄｉｃａｔｏｒ）４０を構成し、ビデオデコーダ１１３、スイッチ２０２、ミキシング回路１１４はＭＰＥＧ部１１５を構成する。従来の信号処理部５０（図１に図示）と比較すると、本発明の信号処理部２５０は１つのＯＳＤ発生器１１２及び１つのミキシング回路１１４のみを有しており、第１検出器１０３はラインＬ１９を通じてＯＳＤ発生器１０９の代わりにＡ／Ｄ変換器２３０に接続されている。
【００２５】
最初、視聴者によって地上波チャネルまたはケーブルチャネルが選択される場合、スイッチ２０２、２０３は各々マイクロプロセッサ１０５から供給される制御信号ＣＳ１に応じて端子０の側に接続され、スイッチ１１７はトランスパレンシインジケータ４０から供給される制御信号ＣＳ３に応じて端子０の側に接続され、コンポジットビデオ信号は図１に示すように、ラインＬ１１を通じてコンポジットビデオ信号処理回路１０８に入力される。本発明の好適な実施例において、アナログチャネル、即ち地上波チャネルまたはケーブルチャネルが選択される場合、制御信号ＣＳ１はローレベルの論理値（例えば、０）になる。後述するように、アナログチャネルが選択される間ＯＳＤが発生しないと、ＯＲゲート２０７から出力される制御信号ＣＳ３はローレベルの論理値と設定される。
【００２６】
図１に示すように、コンポジットビデオ信号は、選択チャネルを介して搬送される同期信号、アナログビデオ信号、及びアナログＯＳＤデータを有する。コンポジットビデオ信号処理回路１０８は、図１で説明したような方式にて動作して、ビデオ映像信号（例えば、図４（Ａ）中のビデオ映像４０５）を発生し、スイッチ１１７の端子０及び同期信号分離器２０１に各々供給する。この同期信号分離器２０１は、受け取ったビデオ映像信号からアナログ同期信号を取出する役割を果たす。一方、第１検出器１０３により取出されたアナログＯＳＤデータは、ラインＬ１９を通じてＡ／Ｄ変換器２３０に供給されディジタルＯＳＤデータに変換される。その後、変換されたディジタルＯＳＤデータはマイクロプロセッサ１０５によってラインＬ１７を通じてＲＡＭ１０６に格納される。
【００２７】
視聴者がＳＴＢを制御するため、または選択されたアナログチャネルを通じて搬送されるテレテキストまたは映像データのような情報を得るために、スクリーン（図示せず）上にＯＳＤを発生するように要求する場合、ＯＳＤデータ信号はマイクロプロセッサ１０５によってＲＡＭ１０６からラインＬ１７を通じて取出され、ラインＬ１３を通じてＯＳＤ発生器１１２に供給される。ＯＳＤ発生器１１２は受け取ったＯＳＤデータ信号に応じて、図４（Ｂ）に示すＯＳＤ  ４０１を発生する。ＯＳＤデータ信号は、スクリーン上に表示されるべきＯＳＤデータと該当スクリーンにおけるＯＳＤデータの位置情報とを有し、マイクロプロセッサ１０５から発生されるか、または選択されたアナログチャネルを通じて供給され得る。ＯＳＤ発生器１１２から発生されたＯＳＤは、図３（Ｂ）及び図４（Ｂ）に示すような正常のＯＳＤまたは組合せＯＳＤのうちの１つでありうる。次に、ＯＳＤ発生器１１２はＯＳＤ信号をＯＳＤバッファ１１１に供給する。このＯＳＤ信号は、スクリーン内の全ての画素のデータと該当ＯＳＤの位置情報とを有する。ここで、発生されたＯＳＤ信号における各画素は前述したように、Ｎビットの２値、例えば６ビットのＹ、４ビットのＣr、及び４ビットのＣbによって表示される。本発明の好適な実施例によれば、余剰のＯＳＤ（図４（Ｂ）中の例えば、４０４）に対応する各画素に対するＮビットは、全て１ビットであり、このＯＳＤの残り部分（即ち、表示されるべきＯＳＤデータを搬送する実際のＯＳＤ４０２、４０３）内に含まれている各画素は１つまたはそれ以上の０ビットを有するＮビットによって表示される。また、ＯＳＤ  ３０１または４０１の外側に存在する各画素は１つまたはそれ以上の０ビットを有するＮビットの２値によって表示される。ＯＳＤ信号における位置情報は、ＯＳＤ発生器１１２によって発生されたＯＳＤが組合せＯＳＤ  ４０１に対応する場合は、ＯＳＤ４０２〜４０４に対する位置データを表し、ＯＳＤ発生器１１２に発生されたＯＳＤが正常のＯＳＤに対応する場合には、例えば、ＯＳＤ  ３０１に対する位置データを表す。
【００２８】
ＯＳＤバッファ１１１は、ＯＳＤ発生器１１２から受け取ったＯＳＤ信号を格納してミキシング回路１１４及びＡＮＤゲート２０４に各々供給する。
【００２９】
ミキシング回路１１４は、ＯＳＤバッファ１１１から供給されるＯＳＤ信号とスイッチ２０２から供給されるディジタルパディング信号とを受け取って、ＯＳＤ信号内に含まれている位置情報に基づいて、ＯＳＤ信号内の画素データとディジタルパディング信号とを混合する。ここで、黒レベル信号はパディング信号発生器（図示せず）によって発生される。ミキシング回路１１４は図１に示したような機能を行うことによって、実際のＯＳＤ４０２、４０３の外側に存在する全ての画素がビデオデコーダ１１３からの復号化値の代わりに、例えば、全部０ビットを有する黒レベルのディジタルパディング信号によって表示されることを除いては、図４（Ｃ）に示す映像と類似なビデオ映像を表す混合ＯＳＤ信号を発生する。この混合ＯＳＤ信号はラインＬ２５を通じてＮＴＳＣ／ＰＡＬエンコーダ１１６に伝送される。また、ミキシング回路１１４はＯＳＤ指示信号をラインＬ２６を通じて第２ＡＮＤゲート２０６に伝送する。このＯＳＤ指示信号は、組合せＯＳＤ内に画素が含まれているか否かを表し、画素が組合せＯＳＤの外側に存在する場合はローレベルの論理値０を有し、そうでない場合には、ハイレベルの論理値１を有する。
【００３０】
ＮＴＳＣ／ＰＡＬエンコーダ１１６はスイッチ２０３からのアナログ同期信号に応じて、図１に示したような方法にて、受け取った混合ＯＳＤ信号を標準ＮＴＳＣ／ＰＡＬアナログ信号に変換して、スイッチ１１７の端子１に供給する。
【００３１】
トランスパレンシインジケータ４０においては、ＮＴＳＣ／ＰＡＬエンコーダ１１６によって変換されたＯＳＤ信号内の画素が実際のＯＳＤに属するか否かが判断される。このトランスパレンシインジケータ４０は、画素が実際のＯＳＤを構成する画素のうちの何れか１つとして判断される場合はハイレベルの制御信号ＣＳ３を発生し、そうでない場合には、ローレベルの制御信号ＣＳ３を発生する。詳述すると、余剰のＯＳＤの外側に位置する各画素が少なくとも１つの０ビットを有し、余剰のＯＳＤに対応する各画素が前述したようにＮビットの「１」によって表示される。従って、第１ＡＮＤゲート２０４及びインバータ２０５によって処理される出力信号は、剰余ＯＳＤに属する各画素に対してはローレベルの論理値を有し、剰余ＯＳＤの外側に属する各画素に対してはハイレベルの論理値を有する。
【００３２】
第２ＡＮＤゲート２０６はインバータ２０５からの出力とミキシング回路１１４からのＯＳＤ指示信号とを受け取って、各画素が実際のＯＳＤに属する場合はハイレベルの出力信号を、各画素が実際ＯＳＤ内に含まれていない場合にはローレベルの出力信号をＯＲゲート２０７に供給する。ＯＲゲート２０７は、アナログチャネルの選択に応じてローレベルの論理値０と設定される制御信号ＣＳ１をも受け取る。こうして、トランスパレンシインジケータ４０は、各画素が実際のＯＳＤ内に存在する場合はハイレベルの制御信号ＣＳ３を発生し、そうでない場合には、ローレベルの制御信号ＣＳ３を発生することになる。
【００３３】
スイッチ１１７はトランスパレンシインジケータ４０からの制御信号ＣＳ３に応じて、コンポジットビデオ信号処理回路１０８からのビデオ映像信号またはＮＴＳＣ／ＰＡＬエンコーダ１１６からの変換されたＯＳＤ信号を画素単位に選択する。詳述すると、スイッチ１１７は制御信号ＣＳ３がローレベルであれば、端子０に入力されたビデオ映像信号を出力し、ハイレベルであれば、端子１に入力された変換されたＯＳＤ信号を出力することによって、図４（Ｃ）に示したようなビデオ映像信号を出力する。このビデオ映像信号は、表示装置（図示せず）に伝送され処理されることによって、スクリーン上に表示される。当業者によく知られているように、ＯＳＤが剰余ＯＳＤを全く有しない場合（図３（Ｂ）のような）、ＯＳＤは実際のＯＳＤのみを有する組合せＯＳＤとして見なされることによって、前述したような方式にて処理され得る。
【００３４】
上記から分かるように、本発明によると、アナログ放送信号がスクリーン上に表示される間、視聴者は図２中のディジタル信号処理部３０によって処理される改善されたＧＵＩを用いることができる。
【００３５】
視聴者が衛星チャネルを選択する場合、選択された衛星チャネルを通じて伝送されディジタル放送信号復調器１０２（図示せず）にて復調された衛星ビデオ信号はビデオデコーダ１１３に入力され、制御信号ＣＳ１は図１に示すようにハイレベル「１」に設定されることによって、スイッチ２０２としてビデオデコーダ１１３からの出力信号を選択し、スイッチ２０３として２７ＭＨｚの同期信号ＳＹＮＣを選択するようにする。従って、ＯＳＤバッファ１１１、ＯＳＤ発生器１１２、ＭＰＥＧ部１１５、及びＮＴＳＣ／ＰＡＬエンコーダ１１６は、図１中のディジタル信号処理部２０と同一の機能を行う。更に、ＯＲゲート２０７に入力される制御信号ＣＳ１がハイレベル「１」と設定されているため、制御信号ＣＳ３は第２ＡＮＤゲート２０６からの出力に関わらず常にハイレベル「１」と設定される。その結果、スイッチ１１７はＮＹＳＣ／ＰＡＬエンコーダ１１６からの出力信号を選択してビデオ出力信号として伝送することになる。
【００３６】
上記において、本発明の好適な実施の形態について説明したが、本発明の請求範囲を逸脱することなく、当業者は種々の改変をなし得るであろう。
【００３７】
【発明の効果】
従って、本発明によれば、ディジタル信号処理部にてＯＳＤ及びアナログ放送信号を共に処理することによって、スクリーン上で向上されたＯＳＤを提供することができる。
【図面の簡単な説明】
【図１】従来の信号処理部の詳細なブロック図である。
【図２】本発明の信号処理部の詳細なブロック図である。
【図３】（Ａ）〜（Ｃ）よりなり、各々通常のアナログＯＳＤを示す模式図である。
【図４】（Ａ）〜（Ｃ）よりなり、各々ディジタルＯＳＤを示す模式図である。
【符号の説明】
１０  アナログ信号処理部
２０、３０  ディジタル信号処理部
４０  トランスパレンシインジケータ
５０、２５０  信号処理部
１００  チューナ
１０１  アナログ放送信号復調器
１０２  ディジタル放送信号復調器
１０３  第１検出器
１０４  第２検出器
１０５  マイクロプロセッサ
１０６  ＲＡＭ
１０７  キーマトリックス
１０８  コンポジットビデオ信号処理回路
１０９  ＯＳＤ発生器
１１０  ミキシング回路
１１１  ＯＳＤバッファ
１１２  ＯＳＤ発生器
１１３  ビデオデコーダ
１１４  ミキシング回路
１１５  ＭＰＥＧ部
１１６  ＮＴＳＣ／ＰＡＬエンコーダ
１１７、２０２、２０３  スイッチ
２０１  同期信号分離器
２０４、２０６  第１及び第２ＡＮＤゲート
２０５  インバータ
２０７  ＯＲゲート
２３０  Ａ／Ｄ変換器
３０１  ＯＳＤ
３０２  スクリーン
３０３  ビデオ映像
３０４  コンポジットビデオ映像
４０１  組合せＯＳＤ
４０２、４０３  実際のＯＳＤ
４０４  余剰のＯＳＤ
【図１】
0003962482.tif 000002
【図２】
0003962482.tif 000003
【図３】
0003962482.tif 000004
【図４】
0003962482.tif 000005